(57)【要約】      （修正有）【課題】衣料品に傷をつけることのないタグピン保護具を提供すること。【解決手段】タグピン保護具１は、面取りされた平板状の頭部５と、頭部５の端縁中央８からその面方向に沿って延びるフィラメント部６と、フィラメント部６の端部９に直交してフィラメント部６とともにＴ字形をなす横棒部７とからなるタグピン２の横棒部７を保護する。タグピン保護具１は、フィラメント部６が端部９を支点として横棒部７に折り重なった状態で、フィラメント部６及び横棒部７が挿通可能な挿通孔１０を備え、外形が球体からなることを特徴とする。【選択図】図２
0003128727.tif 000002
【実用新案登録請求の範囲】
【請求項１】
面取りされた平板状の頭部と、当該頭部の端縁中央からその面方向に沿って延びるフィラメント部と、当該フィラメント部の端部に直交して当該フィラメント部とともにＴ字形をなす横棒部とからなるタグピンの当該横棒部を保護するタグピン保護具であって、
前記フィラメント部が前記端部を支点として前記横棒部に折り重なった状態で、前記フィラメント部及び前記横棒部が挿通可能な挿通孔を備え、外形が球体からなることを特徴とするタグピン保護具。
【請求項２】
前記球体の中心を通る平面のうち、前記挿通孔と前記球体の中心とを通る直線に対して垂直な平面と、前記球体の球面とが交わる線に沿って前記球体の外表面に球面溝が形成されている事を特徴とする請求項１に記載のタグピン保護具。
【請求項３】
請求項２に記載のタグピン保護具を収容するＵ字溝からなるタグピン保護具ホルダーであって、
前記Ｕ字溝の両端のうち、一端は当該タグピン保護具を収容するための収容壁が形成され、他端は当該タグピン保護具の出し入れ口として開放され、
前記Ｕ字溝の溝方向に沿った両側の壁面上端縁には、当該タグピン保護具に形成された球面溝に係合する係合レールが形成されていることを特徴とするタグピン保護具ホルダー。
【請求項４】
面取りされた平板状の頭部と、当該頭部の端縁中央からその面方向に沿って延びるフィラメント部と、当該フィラメント部の端部に直交して当該フィラメント部とともにＴ字形をなす横棒部とからなるタグピンの当該横棒部を保護するタグピン保護具であって、
前記フィラメント部が前記端部を支点として前記横棒部に折り重なった状態で、前記フィラメント部及び前記横棒部が挿通可能な挿通孔を備え、外形が球体、錐体又は柱体その他各種の静物・動物をかたどった形状からなることを特徴とするタグピン保護具。
【請求項５】
前記挿通孔と前記球体、錐体又は柱体の中心とを通る直線に対して垂直な平面と、前記球体、錐体又は柱体の外表面とが交わる線に沿って前記球体、錐体又は柱体の外表面に外表面溝を形成した事を特徴とする請求項４に記載のタグピン保護具。
【請求項６】
請求項５に記載のタグピン保護具を収容する収容溝からなるタグピン保護具ホルダーであって、
前記収容溝の両端のうち、一端は当該タグピン保護具を収容するための収容壁が形成され、他端は当該タグピン保護具の出し入れ口として開放され、
前記収容溝の溝方向に沿った両側の壁面上端縁には、当該タグピン保護具に形成された外表面溝に係合する係合レールが形成されていることを特徴とするタグピン保護具ホルダー。
【考案の詳細な説明】
【技術分野】
【０００１】
本考案は、タグピン保護具及びタグピン保護具ホルダーに関し、更に詳しくは、タグピン保護具によってタグピンの先端部分で衣料品が傷つくことを防止するとともに、そのタグピン保護具を効率的に取り付けるためのタグピン保護具ホルダーに関する。
【背景技術】
【０００２】
衣料品にはブランド名や値段を表示するための商品下げ札が取り付けられているが、この商品下げ札を留めるのに用いられるのがタグピンと称されるものである（図２（ｄ）の符号２参照）。同図に示される周知のタグピンは、頭部５とフィラメント部６と横棒部７とからなるものであり、日常的によく目にするものである。その一例が特許文献１の図２等に開示されている。
【０００３】
【特許文献１】特開平６−１７０９８３
【考案の開示】
【考案が解決しようとする課題】
【０００４】
しかしながら、このタグピン２は、むき出しのままだと横棒部７が直径約１ｍｍ程度であるため、衣料品の生地との接触具合によっては、その生地に傷をつけることがあるという問題があった。特に、編み物や毛羽だった商品、折り目の粗い布地の場合には、その懸念が高いという問題があった。
本考案は、このような事情に鑑みてなされたものであり、その第一の目的は、衣料品に傷をつけることのないタグピン保護具を提供することにある。
本考案の第二の目的は、タグピン保護具を効率的にタグピンに取り付けるためのタグピン保護具ホルダーを提供することを目的とする。
【課題を解決するための手段及び考案の効果】
【０００５】
上記課題を解決するために、本考案に係るタグピン保護具は、面取りされた平板状の頭部と、当該頭部の端縁中央からその面方向に沿って延びるフィラメント部と、当該フィラメント部の端部に直交して当該フィラメント部とともにＴ字形をなす横棒部とからなるタグピンの当該横棒部を保護し、
前記フィラメント部が前記端部を支点として前記横棒部に折り重なった状態で、前記フィラメント部及び前記横棒部が挿通可能な挿通孔を備え、外形が球体からなることを要旨とする。尚、タグピン保護具の外形は、球体、錐体又は柱体その他各種の静物・動物をかたどった形状としてもよい。
【０００６】
上記構成を備えた本考案に係るタグピン保護具は、フィラメント部が端部を支点として横棒部に折り重なった状態で、フィラメント部及び横棒部が挿通可能な挿通孔を備えるものであるから、横棒部がタグガンの中空針内に収まったままで、これらをその挿通孔に挿通させることができる。そのため、タグピン保護具によれば、挿通孔が設けられているため、横棒部が中空針から飛び出して衣料品に当たることはない。
また、上記構成を備えた本考案に係るタグピン保護具は、外形が球体の他、錐体又は柱体その他各種の静物・動物をかたどった形状からなるものであり、引っかかりやすい形、形状のものではないため、タグピン保護具が衣料品を傷つけることはない。
【０００７】
この場合に、タグピン保護具は、前記球体の中心を通る平面のうち、前記挿通孔と前記球体の中心とを通る直線に対して垂直な平面と、前記球体の球面とが交わる線に沿って前記球体の外表面に球面溝が形成されているものでもよい。尚、タグピン保護具が球体、錐体又は柱体の場合には、前記挿通孔と前記球体、錐体又は柱体の中心とを通る直線に対して垂直な平面と、前記球体、錐体又は柱体の外表面とが交わる線に沿って前記球体、錐体又は柱体の外表面に外表面溝を形成したものでもよい。
【０００８】
このような球面溝や外表面溝を備えた本考案に係るタグピン保護具は、これらの溝に係合する係合レールを備えたタグピン保護具ホルダーに収容すると、タグピン保護具のタグピンへの効率的な取り付けに供する。
【０００９】
例えば、上記課題を解決するための本考案に係るタグピン保護具ホルダーは、そのような球面溝又は外表面溝が形成されているタグピン保護具を収容するＵ字溝又は収容溝からなり、前記Ｕ字溝又は前記収容溝の両端のうち、一端は当該タグピン保護具を収容するための収容壁が形成され、他端は当該タグピン保護具の出し入れ口として開放され、前記Ｕ字溝又は前記収容溝の溝方向に沿った両側の壁面上端縁には、当該タグピン保護具に形成された球面溝又は外表面溝に係合する係合レールが形成されていることを要旨とする。
【００１０】
上記構成を備えた本考案に係るタグピン保護具ホルダーは、複数のタグピン保護具の挿入孔を全て上向きにした状態（又は露出した状態）で球面溝又は外表面溝を係合レールに係合させて、それらのタグピン保護具を出し入れ口から出し入れ可能に収容できる。従って、タグピン保護具ホルダーによれば、タグガンでタグピン及びタグピン保護具を下げ札等とともに衣料品に取り付けるときに、いちいち一個づつタグピン保護具をつまむ作業をしなくてもよい。すなわち、タグピン保護具ホルダーによれば、これに予め複数個のタグピン保護具を収容しておき、順番に挿入孔にタグガンの中空針を打ち込み、打ち込んだあとは出し入れ口からタグピン保護具を外せばよい。従って、タグピン保護具ホルダーによれば、タグピンを取り付ける作業を効率的に行うことができる。
【考案を実施するための最良の形態】
【００１１】
（タグピン保護具）
以下に、図面を参照して本考案の一実施形態に係るタグピン保護具について説明する。
図１（ａ）（ｂ）は、それぞれ、本発明の一実施形態に係るタグピン保護具１を取り付けたタグピン２、２ａにより商品下げ札３を衣料品の一例である編み帽子４に取り付けた外観を示す。図２（ａ）（ｂ）は、それぞれ、タグピン保護具１の上面図、及び、Ａ−Ａ線断面図であり、同図（ｃ）（ｄ）は、それぞれ、タグピン保護具１をタグピン２に取り付けた状態の外観図、及び、その断面図である。
【００１２】
これらの図において、タグピン保護具１により保護されるタグピン２は、頭部５と、フィラメント部６と、横棒部７とからなる。頭部５は、面取りされた平板状のものからなる。フィラメント部６は、頭部５の端縁中央８からその面方向に沿って延びる湾曲自在の細長い部材である。横棒部７は、直径が約１ｍｍ前後であり、フィラメント部６の端部９に直交してフィラメント部６とともにＴ字形をなす。
【００１３】
タグピン保護具１は、タグピン２の横棒部７を収容してこれを保護するとともに、外形が球体からなるため、衣料品に当たってもその衣料品を傷つけることがない。タグピン保護具１は、挿通孔１０を備える。挿通孔１０は、フィラメント部６が端部９を支点として横棒部７に折り重なった状態で、フィラメント部６及び横棒部７が挿通可能である。
【００１４】
図３（ａ）〜（ｃ）は、タグピン保護具１をタグピン２に取り付けて、商品下げ札３を編み帽子４に取り付けるときのタグピン２の動きをタグガン１１（図６参照）の中空針１２の動きとともに示す図である。尚、タグガン１１は、タグピン２を商品下げ札３とともに衣料品に取り付けるときに使用される周知の器具である。また、中空針１２は、先端が尖り、内部が中空で側面に開放部１３が形成された針であり、その中空の内部をタグピン２が通過するものである。
図３を参照して、タグピン保護具１を商品下げ札３とともにタグピン２に取り付ける手順について説明する。まず、作業者がタグガン１１にタグピン集合体１４を取り付け（図６参照）、中空針１２を、商品下げ札３と編み帽子４とに貫通させた上で挿通孔１０に挿通させる。
【００１５】
そして、作業者がスイッチ１５（図６参照）を押すと、図３（ａ）に示すように、押し出しピン１６が横棒部７を押し、これによって、タグピン集合体１４の図示しない連結部からタグピン２が外れて、横棒部７が中空針１２の内部を中空針１２の先端に向かって進み、フィラメント部６が中空針１２の上側を中空針１２の先端に向かって進む。
更に、作業者がスイッチ１５を押し続けると、図３（ｂ）に示すように、横棒部７とフィラメント部６が商品下げ札３と編み帽子４とを貫通して、挿通孔１０からタグピン保護具１の内部へ入っていく。
更に、作業者がスイッチ１５押し続けると、横棒部７が完全にタグピン保護具１に収容されるので、その頃合いを見計らって、作業者が中空針１２を引き抜く。すると、折り重なったフィラメント部６と横棒部７とが元の形状に戻る。同時に、図３（ｃ）に示すように、タグピン保護具１が商品下げ札３とともにタグピン２に取り付けられる。フィラメント部６が挿通孔１０を動いても横棒部７が挿通孔１０のところに引っかかるので、タグピン保護具１は、タグピン２から外れない。
【００１６】
このように、フィラメント部６及び横棒部７は、フィラメント部６が端部９を支点として横棒部７に折り重なった状態で、横棒部７が中空針１２の内部を進む状態で、挿通孔１０を挿通する。従って、タグピン保護具１によれば、横棒部７が中空針１２から飛び出して衣料品に当たって傷をつけることはない。
【００１７】
次に、図４を参照して他の実施形態に係るタグピン保護具２１について説明する。同図（ａ）は、タグピン保護具２１の上面図、同図（ｂ）は、その側面図、同図（ｃ）は、そのＢ−Ｂ線断面図である。
同図に示したように、タグピン保護具２１は、外表面に形成された溝（外表面溝）として球面溝２２が形成されている。球面溝２２は、球体の中心Ｃを通る平面のうち、挿通孔１０と球体の中心Ｃとを通る直線Ｌ１に対して垂直な平面Ｐ１と、球体の球面とが交わる線に沿って球体の外表面の周全体に亘って形成されたものである。尚、同図（ｄ）は、球面溝２２に代えて球面溝２２ａを形成したものである。球面溝２２ａは、球体の中心Ｃを通る平面のうち、挿通孔１０と球体の中心Ｃとを通る直線Ｌ１に対して垂直な平面Ｐ１と、球体の球面とが交わる線に沿って球体の外表面の一部に向かいあう態様で形成されたものである。このように、球面溝は、周全体に亘って形成しても、その一部にのみ形成しても構わない。
【００１８】
（タグピン保護具ホルダー）
次に、図５を参照して、本考案の一実施形態に係るタグピン保護具ホルダー３１について説明する。同図（ａ）は、タグピン保護具ホルダー３１の上面図、同図（ｂ）は、その正面図、同図（ｃ）は、その側面図、同図（ｄ）は、その斜視図、同図（ｅ）は、複数のタグピン保護具２１を収容したときの状態を示した斜視図である。
【００１９】
図６に示したタグピン保護具ホルダー３１は、タグピン保護具２１（図４参照）を収容する収容溝としてＵ字溝３２を備える。タグピン保護具ホルダー３１は、Ｕ字溝３２の両端のうち、一端は、タグピン保護具２１を収容するための収容壁３３が形成され、他端は、タグピン保護具２１の出し入れ口３４として開放されている。従って、タグピン保護具２１は、出し入れ口３４から自由に出し入れができる。また、Ｕ字溝３２の溝方向に沿った両側の壁面３５ａ、３５ｂの上端縁には、タグピン保護具２１に形成された球面溝２２に係合する係合レール３６ａ、３６ｂが形成されている。
従って、球面溝２２に係合レール３６ａ、３６ｂを係合させれば、複数のタグピン保護具２１の挿通孔１０を全て上向きにして、複数のタグピン保護具２１をタグピン保護具ホルダー３１に収容することができる（図５（ｅ）参照）。尚、タグピン保護具２１に球面溝２２ａが形成された場合には、タグピン保護具２１は、挿通孔１０が単に上向きした状態で収容されるだけでなく、円周方向への動きが球面溝２２ａと係合レール３６ａ、３６ｂのところで制限された状態でタグピン保護具ホルダー３１に収容される。
【００２０】
次に、図６を参照して、タグピン保護具ホルダー３１を使用してタグピン保護具２１をタグピン２に取り付ける手順について説明する。同図に示したように、作業者は、右手でタグガン１１を持ち、左手（図示省略）で商品下げ札３及び編み帽子４並びに及びタグピン保護具２１が収容されたタグピン保護具ホルダー３１を持って、挿通孔１０に中空針１２を挿入してスイッチ１５を押せばよい。作業者は、複数等間隔に整列している挿入孔１０にタグガンの中空針１２を打ち込み、打ち込んだあとは出し入れ口３４からタグピン保護具２１を外すだけで、商品下げ札３、タグピン保護具２１、タグピン２を編み帽子３に取り付けることができる。作業者は、タグピン保護具２１をいちいちつまむ作業をしなくても済むため、効率的に作業をすることができる。
【００２１】
以上本考案の一実施形態について説明したが、本考案は上記実施の形態に限定されるものではない。
上記実施形態においては、タグピン保護具１、２１として球体を使用した例を示したが、錐体、柱体その他各種の静物・動物をかたどった形状からなるようにしてもよい。衣料品に傷をつけないものであれば、タグピン保護具の形状は、特に限定されるものではない。
また、外表面溝が形成される位置は、挿通孔とタグピン保護具をなす球体、錐体又は柱体の中心とを通る直線に対して垂直な平面と、球体、錐体又は柱体の外表面とが交わる線に沿った位置に相当する球体、錐体又は柱体の外表面でもよい。係合レールが係合できる位置にあれば、外表面溝が形成される位置は、特に限定されるものではない。
【産業上の利用可能性】
【００２２】
本考案は、衣料品販売業者にとって、商品の取り扱いをより慎重に丁寧にすることを可能とする考案であり、使用価値が高い。また、本考案は、タグピン製造メーカーにとって、タグピンに新たな付加価値を与えることを可能とする点で、使用価値が高い。
【図面の簡単な説明】
【００２３】
【図１】図１（ａ）（ｂ）は、それぞれ、本発明の一実施形態に係るタグピン保護具１を取り付けたタグピン２、２ａにより商品下げ札３を編み帽子４に取り付けた外観を示す外観図である。
【図２】図２（ａ）（ｂ）は、それぞれ、タグピン保護具１の上面図、及び、Ａ−Ａ線断面図であり、同図（ｃ）（ｄ）は、それぞれ、タグピン保護具１をタグピン２に取り付けた状態の外観図、及び、その断面図である。
【図３】図３（ａ）〜（ｃ）は、タグピン保護具１をタグピン２に取り付けて、商品下げ札３を編み帽子４に取り付けるときのタグピン２の動きをタグガン１１の中空針１２の動きとともに示す図である。
【図４】図４（ａ）は、タグピン保護具２１の上面図、同図（ｂ）は、その側面図、同図（ｃ）は、そのＢ−Ｂ線断面図である。
【図５】図５（ａ）は、タグピン保護具ホルダー３１の上面図、同図（ｂ）は、その正面図、同図（ｃ）は、その側面図、同図（ｄ）は、その斜視図、同図（ｅ）は、複数のタグピン保護具２１を収容したときの状態を示した斜視図である。
【図６】図６は、タグピン保護具ホルダー３１を使用してタグピン保護具２１をタグピン２に取り付ける状態を示す図である。
【符号の説明】
【００２４】
１  タグピン保護具
２  タグピン
２ａ  タグピン
３  商品下げ札
４  編み帽子
５  頭部
６  フィラメント部
７  横棒部
８  端縁中央
９  端部
１０  挿通孔
１１  タグガン
１２  中空針
１３  開放部
１４  タグピン集合体
１５  スイッチ
１６  押し出しピン
２１  タグピン保護具
２２  球面溝
３１  タグピン保護具ホルダー
３２  Ｕ字溝
３３  収容壁
３４  出し入れ口
３５ａ、３５ｂ  壁面
３６ａ、３６ｂ  係合レール
【図１】
0003128727.tif 000003
【図２】
0003128727.tif 000004
【図３】
0003128727.tif 000005
【図４】
0003128727.tif 000006
【図５】
0003128727.tif 000007
【図６】
0003128727.tif 000008
【手続補正書】
【提出日】平成18年10月30日(2006.10.30)
【手続補正１】
【補正対象書類名】実用新案登録請求の範囲
【補正対象項目名】全文
【補正方法】変更
【補正の内容】
【実用新案登録請求の範囲】
【請求項１】
面取りされた平板状の頭部と、当該頭部の端縁中央からその面方向に沿って延びるフィラメント部と、当該フィラメント部の端部に直交して当該フィラメント部とともにＴ字形をなす横棒部とからなるタグピンの当該横棒部を保護するタグピン保護具であって、  前記フィラメント部が前記端部を支点として前記横棒部に折り重なった状態で、前記フィラメント部及び前記横棒部が挿通可能な挿通孔を備え、外形が球体からなることを特徴とするタグピン保護具。
【請求項２】
前記球体の中心を通る平面のうち、前記挿通孔と前記球体の中心とを通る直線に対して垂直な平面と、前記球体の球面とが交わる線に沿って前記球体の外表面に球面溝が形成されている事を特徴とする請求項１に記載のタグピン保護具。
【請求項３】
請求項２に記載のタグピン保護具を収容するＵ字溝からなるタグピン保護具ホルダーであって、  前記Ｕ字溝の両端のうち、一端は当該タグピン保護具を収容するための収容壁が形成され、他端は当該タグピン保護具の出し入れ口として開放され、  前記Ｕ字溝の溝方向に沿った両側の壁面上端縁には、当該タグピン保護具に形成された球面溝に係合する係合レールが形成されていることを特徴とするタグピン保護具ホルダー。
【請求項４】
面取りされた平板状の頭部と、当該頭部の端縁中央からその面方向に沿って延びるフィラメント部と、当該フィラメント部の端部に直交して当該フィラメント部とともにＴ字形をなす横棒部とからなるタグピンの当該横棒部を保護するタグピン保護具であって、  前記フィラメント部が前記端部を支点として前記横棒部に折り重なった状態で、前記フィラメント部及び前記横棒部が挿通可能な挿通孔を備え、外形が球体、錐体又は柱体その他各種の静物・動物をかたどった形状からなることを特徴とするタグピン保護具。
【請求項５】
前記挿通孔と前記球体、錐体又は柱体の中心とを通る直線に対して垂直な平面と、前記球体、錐体又は柱体の外表面とが交わる線に沿って前記球体、錐体又は柱体の外表面に外表面溝を形成した事を特徴とする請求項４に記載のタグピン保護具。
【請求項６】
請求項５に記載のタグピン保護具を収容する収容溝からなるタグピン保護具ホルダーであって、  前記収容溝の両端のうち、一端は当該タグピン保護具を収容するための収容壁が形成され、他端は当該タグピン保護具の出し入れ口として開放され、  前記収容溝の溝方向に沿った両側の壁面上端縁には、当該タグピン保護具に形成された外表面溝に係合する係合レールが形成されていることを特徴とするタグピン保護具ホルダー。
【請求項７】
請求項２に記載のタグピン保護具と、請求項３に記載のタグピン保護具ホルダーからなることを特徴とするタグピン保護具セット。
【手続補正２】
【補正対象書類名】明細書
【補正対象項目名】全文
【補正方法】変更
【補正の内容】
【考案の詳細な説明】
【技術分野】
【０００１】  本考案は、タグピン保護具及びタグピン保護具ホルダー並びにタグピン保護具セットに関し、更に詳しくは、タグピン保護具によってタグピンの先端部分で衣料品が傷つくことを防止するとともに、そのタグピン保護具を効率的に取り付けるためのタグピン保護具ホルダー並びにタグピン保護具セットに関する。
【背景技術】
【０００２】  衣料品にはブランド名や値段を表示するための商品下げ札が取り付けられているが、この商品下げ札を留めるのに用いられるのがタグピンと称されるものである（図２（ｄ）の符号２参照）。同図に示される周知のタグピンは、頭部５とフィラメント部６と横棒部７とからなるものであり、日常的によく目にするものである。その一例が特許文献１の図２等に開示されている。【０００３】
【特許文献１】特開平６−１７０９８３
【考案の開示】
【考案が解決しようとする課題】
【０００４】  しかしながら、このタグピン２は、むき出しのままだと横棒部７が直径約１ｍｍ程度であるため、衣料品の生地との接触具合によっては、その生地に傷をつけることがあるという問題があった。特に、編み物や毛羽だった商品、折り目の粗い布地の場合には、その懸念が高いという問題があった。  本考案は、このような事情に鑑みてなされたものであり、その第一の目的は、衣料品に傷をつけることのないタグピン保護具を提供することにある。  本考案の第二の目的は、タグピン保護具を効率的にタグピンに取り付けるためのタグピン保護具ホルダーを提供することを目的とする。
【課題を解決するための手段及び考案の効果】
【０００５】  上記課題を解決するために、本考案に係るタグピン保護具は、面取りされた平板状の頭部と、当該頭部の端縁中央からその面方向に沿って延びるフィラメント部と、当該フィラメント部の端部に直交して当該フィラメント部とともにＴ字形をなす横棒部とからなるタグピンの当該横棒部を保護し、  前記フィラメント部が前記端部を支点として前記横棒部に折り重なった状態で、前記フィラメント部及び前記横棒部が挿通可能な挿通孔を備え、外形が球体からなることを要旨とする。尚、タグピン保護具の外形は、球体、錐体又は柱体その他各種の静物・動物をかたどった形状としてもよい。
【０００６】  上記構成を備えた本考案に係るタグピン保護具は、フィラメント部が端部を支点として横棒部に折り重なった状態で、フィラメント部及び横棒部が挿通可能な挿通孔を備えるものであるから、横棒部がタグガンの中空針内に収まったままで、これらをその挿通孔に挿通させることができる。そのため、タグピン保護具によれば、挿通孔が設けられているため、横棒部が中空針から飛び出して衣料品に当たることはない。  また、上記構成を備えた本考案に係るタグピン保護具は、外形が球体の他、錐体又は柱体その他各種の静物・動物をかたどった形状からなるものであり、引っかかりやすい形、形状のものではないため、タグピン保護具が衣料品を傷つけることはない。
【０００７】  この場合に、タグピン保護具は、前記球体の中心を通る平面のうち、前記挿通孔と前記球体の中心とを通る直線に対して垂直な平面と、前記球体の球面とが交わる線に沿って前記球体の外表面に球面溝が形成されているものでもよい。尚、タグピン保護具が球体、錐体又は柱体の場合には、前記挿通孔と前記球体、錐体又は柱体の中心とを通る直線に対して垂直な平面と、前記球体、錐体又は柱体の外表面とが交わる線に沿って前記球体、錐体又は柱体の外表面に外表面溝を形成したものでもよい。
【０００８】  このような球面溝や外表面溝を備えた本考案に係るタグピン保護具は、これらの溝に係合する係合レールを備えたタグピン保護具ホルダーに収容すると、タグピン保護具のタグピンへの効率的な取り付けに供する。
【０００９】  例えば、上記課題を解決するための本考案に係るタグピン保護具ホルダーは、そのような球面溝又は外表面溝が形成されているタグピン保護具を収容するＵ字溝又は収容溝からなり、前記Ｕ字溝又は前記収容溝の両端のうち、一端は当該タグピン保護具を収容するための収容壁が形成され、他端は当該タグピン保護具の出し入れ口として開放され、前記Ｕ字溝又は前記収容溝の溝方向に沿った両側の壁面上端縁には、当該タグピン保護具に形成された球面溝又は外表面溝に係合する係合レールが形成されていることを要旨とする。
【００１０】  上記構成を備えた本考案に係るタグピン保護具ホルダーは、複数のタグピン保護具の挿入孔を全て上向きにした状態（又は露出した状態）で球面溝又は外表面溝を係合レールに係合させて、それらのタグピン保護具を出し入れ口から出し入れ可能に収容できる。従って、タグピン保護具ホルダーによれば、タグガンでタグピン及びタグピン保護具を下げ札等とともに衣料品に取り付けるときに、いちいち一個づつタグピン保護具をつまむ作業をしなくてもよい。すなわち、タグピン保護具ホルダーによれば、これに予め複数個のタグピン保護具を収容しておき、順番に挿入孔にタグガンの中空針を打ち込み、打ち込んだあとは出し入れ口からタグピン保護具を外せばよい。従って、タグピン保護具ホルダーによれば、タグピンを取り付ける作業を効率的に行うことができる。タグピン保護具セットによっても同様の効果を得ることができる。
【考案を実施するための最良の形態】
【００１１】（タグピン保護具）  以下に、図面を参照して本考案の一実施形態に係るタグピン保護具について説明する。  図１（ａ）（ｂ）は、それぞれ、本発明の一実施形態に係るタグピン保護具１を取り付けたタグピン２、２ａにより商品下げ札３を衣料品の一例である編み帽子４に取り付けた外観を示す。図２（ａ）（ｂ）は、それぞれ、タグピン保護具１の上面図、及び、Ａ−Ａ線断面図であり、同図（ｃ）（ｄ）は、それぞれ、タグピン保護具１をタグピン２に取り付けた状態の外観図、及び、その断面図である。【００１２】  これらの図において、タグピン保護具１により保護されるタグピン２は、頭部５と、フィラメント部６と、横棒部７とからなる。頭部５は、面取りされた平板状のものからなる。フィラメント部６は、頭部５の端縁中央８からその面方向に沿って延びる湾曲自在の細長い部材である。横棒部７は、直径が約１ｍｍ前後であり、フィラメント部６の端部９に直交してフィラメント部６とともにＴ字形をなす。【００１３】  タグピン保護具１は、タグピン２の横棒部７を収容してこれを保護するとともに、外形が球体からなるため、衣料品に当たってもその衣料品を傷つけることがない。タグピン保護具１は、挿通孔１０を備える。挿通孔１０は、フィラメント部６が端部９を支点として横棒部７に折り重なった状態で、フィラメント部６及び横棒部７が挿通可能である。【００１４】  図３（ａ）〜（ｃ）は、タグピン保護具１をタグピン２に取り付けて、商品下げ札３を編み帽子４に取り付けるときのタグピン２の動きをタグガン１１（図６参照）の中空針１２の動きとともに示す図である。尚、タグガン１１は、タグピン２を商品下げ札３とともに衣料品に取り付けるときに使用される周知の器具である。また、中空針１２は、先端が尖り、内部が中空で側面に開放部１３が形成された針であり、その中空の内部をタグピン２が通過するものである。  図３を参照して、タグピン保護具１を商品下げ札３とともにタグピン２に取り付ける手順について説明する。まず、作業者がタグガン１１にタグピン集合体１４を取り付け（図６参照）、中空針１２を、商品下げ札３と編み帽子４とに貫通させた上で挿通孔１０に挿通させる。【００１５】  そして、作業者がスイッチ１５（図６参照）を押すと、図３（ａ）に示すように、押し出しピン１６が横棒部７を押し、これによって、タグピン集合体１４の図示しない連結部からタグピン２が外れて、横棒部７が中空針１２の内部を中空針１２の先端に向かって進み、フィラメント部６が中空針１２の上側を中空針１２の先端に向かって進む。  更に、作業者がスイッチ１５を押し続けると、図３（ｂ）に示すように、横棒部７とフィラメント部６が商品下げ札３と編み帽子４とを貫通して、挿通孔１０からタグピン保護具１の内部へ入っていく。  更に、作業者がスイッチ１５押し続けると、横棒部７が完全にタグピン保護具１に収容されるので、その頃合いを見計らって、作業者が中空針１２を引き抜く。すると、折り重なったフィラメント部６と横棒部７とが元の形状に戻る。同時に、図３（ｃ）に示すように、タグピン保護具１が商品下げ札３とともにタグピン２に取り付けられる。フィラメント部６が挿通孔１０を動いても横棒部７が挿通孔１０のところに引っかかるので、タグピン保護具１は、タグピン２から外れない。【００１６】  このように、フィラメント部６及び横棒部７は、フィラメント部６が端部９を支点として横棒部７に折り重なった状態で、横棒部７が中空針１２の内部を進む状態で、挿通孔１０を挿通する。従って、タグピン保護具１によれば、横棒部７が中空針１２から飛び出して衣料品に当たって傷をつけることはない。【００１７】  次に、図４を参照して他の実施形態に係るタグピン保護具２１について説明する。同図（ａ）は、タグピン保護具２１の上面図、同図（ｂ）は、その側面図、同図（ｃ）は、そのＢ−Ｂ線断面図である。  同図に示したように、タグピン保護具２１は、外表面に形成された溝（外表面溝）として球面溝２２が形成されている。球面溝２２は、球体の中心Ｃを通る平面のうち、挿通孔１０と球体の中心Ｃとを通る直線Ｌ１に対して垂直な平面Ｐ１と、球体の球面とが交わる線に沿って球体の外表面の周全体に亘って形成されたものである。尚、同図（ｄ）は、球面溝２２に代えて球面溝２２ａを形成したものである。球面溝２２ａは、球体の中心Ｃを通る平面のうち、挿通孔１０と球体の中心Ｃとを通る直線Ｌ１に対して垂直な平面Ｐ１と、球体の球面とが交わる線に沿って球体の外表面の一部に向かいあう態様で形成されたものである。このように、球面溝は、周全体に亘って形成しても、その一部にのみ形成しても構わない。【００１８】（タグピン保護具ホルダー）  次に、図５を参照して、本考案の一実施形態に係るタグピン保護具ホルダー３１について説明する。同図（ａ）は、タグピン保護具ホルダー３１の上面図、同図（ｂ）は、その正面図、同図（ｃ）は、その側面図、同図（ｄ）は、その斜視図、同図（ｅ）は、複数のタグピン保護具２１を収容したときの状態を示した斜視図である。【００１９】  図６に示したタグピン保護具ホルダー３１は、タグピン保護具２１（図４参照）を収容する収容溝としてＵ字溝３２を備える。タグピン保護具ホルダー３１は、Ｕ字溝３２の両端のうち、一端は、タグピン保護具２１を収容するための収容壁３３が形成され、他端は、タグピン保護具２１の出し入れ口３４として開放されている。従って、タグピン保護具２１は、出し入れ口３４から自由に出し入れができる。また、Ｕ字溝３２の溝方向に沿った両側の壁面３５ａ、３５ｂの上端縁には、タグピン保護具２１に形成された球面溝２２に係合する係合レール３６ａ、３６ｂが形成されている。  従って、球面溝２２に係合レール３６ａ、３６ｂを係合させれば、複数のタグピン保護具２１の挿通孔１０を全て上向きにして、複数のタグピン保護具２１をタグピン保護具ホルダー３１に収容することができる（図５（ｅ）参照）。尚、タグピン保護具２１に球面溝２２ａが形成された場合には、タグピン保護具２１は、挿通孔１０が単に上向きした状態で収容されるだけでなく、円周方向への動きが球面溝２２ａと係合レール３６ａ、３６ｂのところで制限された状態でタグピン保護具ホルダー３１に収容される。【００２０】  次に、図６を参照して、タグピン保護具ホルダー３１を使用してタグピン保護具２１をタグピン２に取り付ける手順について説明する。同図に示したように、作業者は、右���でタグガン１１を持ち、左手（図示省略）で商品下げ札３及び編み帽子４並びに及びタグピン保護具２１が収容されたタグピン保護具ホルダー３１を持って、挿通孔１０に中空針１２を挿入してスイッチ１５を押せばよい。作業者は、複数等間隔に整列している挿入孔１０にタグガンの中空針１２を打ち込み、打ち込んだあとは出し入れ口３４からタグピン保護具２１を外すだけで、商品下げ札３、タグピン保護具２１、タグピン２を編み帽子３に取り付けることができる。作業者は、タグピン保護具２１をいちいちつまむ作業をしなくても済むため、効率的に作業をすることができる。【００２１】  以上本考案の一実施形態について説明したが、本考案は上記実施の形態に限定されるものではない。  上記実施形態においては、タグピン保護具１、２１として球体を使用した例を示したが、錐体、柱体その他各種の静物・動物をかたどった形状からなるようにしてもよい。衣料品に傷をつけないものであれば、タグピン保護具の形状は、特に限定されるものではない。  また、外表面溝が形成される位置は、挿通孔とタグピン保護具をなす球体、錐体又は柱体の中心とを通る直線に対して垂直な平面と、球体、錐体又は柱体の外表面とが交わる線に沿った位置に相当する球体、錐体又は柱体の外表面でもよい。係合レールが係合できる位置にあれば、外表面溝が形成される位置は、特に限定されるものではない。
【産業上の利用可能性】
【００２２】  本考案は、衣料品販売業者にとって、商品の取り扱いをより慎重に丁寧にすることを可能とする考案であり、使用価値が高い。また、本考案は、タグピン製造メーカーにとって、タグピンに新たな付加価値を与えることを可能とする点で、使用価値が高い。
【図面の簡単な説明】
【００２３】
【図１】図１（ａ）（ｂ）は、それぞれ、本発明の一実施形態に係るタグピン保護具１を取り付けたタグピン２、２ａにより商品下げ札３を編み帽子４に取り付けた外観を示す外観図である。
【図２】図２（ａ）（ｂ）は、それぞれ、タグピン保護具１の上面図、及び、Ａ−Ａ線断面図であり、同図（ｃ）（ｄ）は、それぞれ、タグピン保護具１をタグピン２に取り付けた状態の外観図、及び、その断面図である。
【図３】図３（ａ）〜（ｃ）は、タグピン保護具１をタグピン２に取り付けて、商品下げ札３を編み帽子４に取り付けるときのタグピン２の動きをタグガン１１の中空針１２の動きとともに示す図である。
【図４】図４（ａ）は、タグピン保護具２１の上面図、同図（ｂ）は、その側面図、同図（ｃ）は、そのＢ−Ｂ線断面図である。
【図５】図５（ａ）は、タグピン保護具ホルダー３１の上面図、同図（ｂ）は、その正面図、同図（ｃ）は、その側面図、同図（ｄ）は、その斜視図、同図（ｅ）は、複数のタグピン保護具２１を収容したときの状態を示した斜視図である。
【図６】図６は、タグピン保護具ホルダー３１を使用してタグピン保護具２１をタグピン２に取り付ける状態を示す図である。
【符号の説明】
【００２４】１  タグピン保護具２  タグピン２ａ  タグピン３  商品下げ札４  編み帽子５  頭部６  フィラメント部７  横棒部８  端縁中央９  端部１０  挿通孔１１  タグガン１２  中空針１３  開放部１４  タグピン集合体１５  スイッチ１６  押し出しピン２１  タグピン保護具２２  球面溝３１  タグピン保護具ホルダー３２  Ｕ字溝３３  収容壁３４  出し入れ口３５ａ、３５ｂ  壁面３６ａ、３６ｂ  係合レール